(57)【要約】【課題】パッティングラインに向かって正面に立ってパッティングするのに好適なゴルフパターを提供する。【解決手段】ゴルフパター１は、打球するフェース面２１ａが前面に形成されたヘッド本体２１と、ヘッド本体２１から後方へ突出した突出部２２と、突出部２２の後部に、バランスを取るために設けられた錘部２３とを有し、ヘッド本体２１と突出部２２との上面であって、フェース面２１ａの中央に対応する位置から後方に向かう上面が、連続した平坦面２ａであり、平坦面２ａに打球方向を案内するためのガイドライン２ｂが設けられたパターヘッド２と、突出部２２の側面に一端側が接続され、後方へ延びつつ上方へ延び、他端側となるシャフト受部３１が突出部２２の後部上方に位置する略Ｌ字状のホーゼル３と、シャフト受部３ｂに先端が接続されたシャフト４とを備えている。【選択図】図２
2010201090.tif 000002
【特許請求の範囲】
【請求項１】
打球するフェース面が前面に形成されたヘッド本体と、該ヘッド本体から後方へ突出した突出部と、該突出部の後部に、バランスを取るために設けられた錘部とを有し、
前記ヘッド本体と前記突出部との上面のうち、少なくとも前記フェース面の中央に対応する位置から後方に向かう面が連続した平坦面であり、該平坦面に打球方向を案内するためのガイドラインが設けられたパターヘッドと、
前記突出部の側面に一端側が接続され、側方から上方へ延び、他端側となるシャフト受部が前記突出部の後部上方に位置する略Ｌ字状の連結部と、
前記シャフト受部に先端が接続されたシャフトとを備えたことを特徴とするゴルフパター。
【請求項２】
前記連結部は、前記シャフトの軸線が前記パターヘッドの重心点と交差させる請求項１記載のゴルフパター。
【発明の詳細な説明】
【技術分野】
【０００１】
本発明は、パッティングの際に使用されるゴルフパターに関するものである。
【背景技術】
【０００２】
ゴルフパターに関しては、正確にパッティングができるよう、色々な形状のものが研究・開発されている。
例えば、特許文献１には、シャフトの先端部がＬ字状に屈曲して、クラブヘッドのゴルフボールを打つフロントフェース面の反対側のバックフェース面に結合しているパターが記載されている。
【０００３】
また、特許文献２には、ヘッドの重心付近からフェース面と反対の後方にネック部を延出し、このネック部の後端部からシャフトを、このシャフトの中心軸線とヘッドのソウル面とのなす角度を鋭角にして前傾状態に立設したゴルフ用パターが記載されている。
【０００４】
また、特許文献３には、打撃面裏側の低部から後方に向かって伸長する突出部が設けられたパターヘッドと、前記パターヘッドの裏側面に取り付けられているＬ字型の取り付け手段と、この取り付け手段によりパターヘッドと結合するシャフトとを備えたゴルフパターが記載されている。
【先行技術文献】
【特許文献】
【０００５】
【特許文献１】実開平７−２２７６５号公報
【特許文献２】特開平７−１４４０３２号公報
【特許文献３】特表２００２−５２５１８４号公報
【発明の概要】
【発明が解決しようとする課題】
【０００６】
グリーン上のボールを前にしてアドレスするときには、通常、開いた足同士を結ぶ仮想線が、パッティングラインと平行となるようにして立つ。そして、パッティングラインに対してフェース面が傾斜した状態とならないように、ゴルフボールにフェース面を合わせ、その位置を確認しながらパッティングラインを確認して、スイングのシミュレーションを２〜３回程度繰り返して方向感覚と強さの感触とをつかむ。そして、スイングのシミュレーションでつかんだ感触でパッティングラインに向かって適度な強度で、ボールを打つ。
【０００７】
実際は、思うようにゴルフパターがスイングできず、狙ったカップからボールが外れてしまうことが多い。ゴルファーは、カップを狙う際に、グリーン上のボールを見るために頭部を下げた状態で、右利きであれば、頭を左方向に振りながらカップとボールとを見比べて距離や方向を見定める動作をする。しかし、この動作は、両目が上下の位置関係になるため、距離感や方向感が得にくい。ボールを下向きに見て頭を左方向に振りながらカップの位置を確認するよりは、両目の位置関係が水平となるようにカップに向かって正面に立ち、頭を下方から上方、上方から下方へ動かしてカップを確認する方が、カップまでの距離感や方向感を得やすい。
【０００８】
特許文献１〜３に記載の従来のゴルフパターでは、カップ又はパッティングラインに向かって正面に立ち、体の右側、又は左側で、従来のゴルフパターをスイングしようとすると、フェース面が真っ直ぐカップに向いているのか否かが確認しにくいし、シャフトの軸線がパターヘッドの後方に位置するので、スイングしたときにシャフトの軸線を中心にしてパターヘッドが回転しやすい。
【０００９】
パターヘッドの向きを確認しやすくするために、パッティングラインを跨ぐように立ち、パターヘッドを股の間から押し出すようにスイングすることも考えられるが、ルールでは、パッティングラインを跨ぐように立つことは許されていない。また、シャフトの軸線を中心にしてパターヘッドが回転してしまう点については解決できない。
【００１０】
従って、カップ又はパッティングラインの方向に向かって正面に立ってアドレスする方が、距離感や方向感が得られやすいが、その立ち方に合ったゴルフパターがないのが現状である。
そこで本発明は、パッティングラインに向かって正面に立ってパッティングするのに好適なゴルフパターを提供することを目的とする。
【課題を解決するための手段】
【００１１】
本発明のゴルフパターは、打球するフェース面が前面に形成されたヘッド本体と、該ヘッド本体から後方へ突出した突出部と、該突出部の後部に、バランスを取るために設けられた錘部とを有し、前記ヘッド本体と前記突出部との上面のうち、少なくとも前記フェース面の中央に対応する位置から後方に向かう面が連続した平坦面であり、該平坦面に打球方向を案内するガイドラインが設けられたパターヘッドと、前記突出部の側面に一端側が接続され、側方から上方へ延び、他端側となるシャフト受部が前記突出部の後部上方に位置する略Ｌ字状の連結部と、前記シャフト受部に先端が接続されたシャフトとを備えたことを特徴とする。
【００１２】
本発明のゴルフパターは、パターヘッドがヘッド本体と突出部とを備え、突出部の側面に接続する略Ｌ字状の連結部がシャフトに接続している。連結部は、シャフト受部が突出部の後部上方に位置しているので、シャフトの取り付け位置に対してフェース面は突出部及びヘッド本体の分ほど前方に位置することになる。従って、カップ又はパッティングラインの方向に向かって正面に立ち、グリーン上のボールを体の右側又は左側に位置させても、ボールとフェース面との位置関係を確認しやすい。また、ボールを、体の真横位置から前方へ位置させることができるので、想像で描くパッティングラインにボールを照準させやすい。パターヘッドとシャフトとを接続する連結部が突出部の側面に接続されているので、ヘッド本体と突出部との上面のうち、少なくともフェース面の中央に対応する位置から後方に向かう面に連続した平坦面を形成することができる。従って、この平坦面に打球方向を案内するためのガイドラインを設けることができる。このガイドラインを目安にパッティングラインの方向合わせを行うことができる。また、このガイドラインはヘッド本体だけでなく突出部の上面にも設けられていることで、従来のゴルフパターより長くすることができるので、方向合わせが容易である。パッティングラインに向かって正面に立ってアドレスした状態でボールを体の真横より前方に位置させるために、シャフト受部が突出部の後部上方に位置するＬ字状の連結部としても、突出部の後部には錘部が設けられているので、パターヘッド全体のバランスを保つことができる。従って、安定したスイングをすることができる。
【００１３】
前記連結部は、前記シャフトの軸線が前記パターヘッドの重心点と交差させるのが望ましい。シャフトの軸線がパターヘッドの重心点からずれていると、スイングする際にずれた方側が膨らむような円弧を描くようなスイングとなってしまいがちになる。シャフトの軸線がパターヘッドの重心点と交差するように連結部が形成されていると、真っ直ぐスイングすることができるので、更に安定したパッティングをすることができる。
【発明の効果】
【００１４】
本発明は、アドレスしたときにはボールとフェース面との位置関係の確認が容易であり、カップへ狙いを付けるときにはパッティングラインにボールを照準させやすく、スイングするときにはバランスが保たれたパターヘッドにより安定したスイングをすることができるので、パッティングラインに向かって正面に立ってパッティングするのに好適である。
【図面の簡単な説明】
【００１５】
【図１】本発明の実施の形態に係るゴルフパターを示す斜視図である。
【図２】図１に示すゴルフパターのパターヘッドを拡大した斜視図である。
【図３】図１に示すゴルフパターの一部を拡大した左側面図である。
【図４】図１に示すゴルフパターの一部を拡大した背面図である。
【図５】図１に示すゴルフパターの使用状態を説明するための図である。
【発明を実施するための形態】
【００１６】
本発明の実施の形態に係るゴルフパターを図面に基づいて説明する。なお、本明細書では、フェース面側を前、反対側を後として説明する。
図１から図４に示すゴルフパター１は、パターヘッド２と、ホーゼル３と、シャフト４とを備えた右利き用の長尺パターである。
【００１７】
パターヘッド２は、前面にフェース面２１ａが形成されたヘッド本体２１と、ヘッド本体２１の中央から後方へ突出した突出部２２と、突出部２２の後部の両側に設けられた錘部２３とが一体的に形成されていることで、略Ｈ字状に形成されている。このパターヘッド２は、フェース面２１ａ及び底面全体を除き、ほぼおもて側の全体が黒色に加工されている。
【００１８】
ヘッド本体２１は、フェース面２１ａが略矩形状に形成された略直方体状に形成されている。ヘッド本体２１の底面は、下方に向かって膨らむ円弧面に形成されている。
突出部２２は、後方に向かって徐々に幅が広くなるように形成されている。ヘッド本体２１と突出部２２との上面は、連続した平坦面２ａとなっている。この平坦面２ａには、フェース面２１ａの中央に対応する位置から後方に向かうように、打球方向を案内するためのガイドライン２ｂが設けられている。つまり、パターヘッド２の前部と後部との中心を結ぶ仮想中心線Ｌ１（図２では一点鎖線で示す。）上にガイドライン２ｂが形成されている。
【００１９】
ガイドライン２ｂは、略矩形状に形成されている。このガイドライン２ｂは、黒色加工が研削されて金属光沢面が露出することで形成された第１ライン部２ｂｘと、第１ライン部２ｂｘの長手方向に沿った両端部に赤色で塗装された第２ライン部２ｂｙとが形成されている。
【００２０】
この突出部２２には、仮想中心線Ｌ１の左側の側面に、シャフト４との連結部として機能するホーゼル３が接続されている。
【００２１】
このホーゼル３は、略Ｌ字状の突出部２２の側面に接続された一端側から、上方へ延びつつ後方へ、そして突出部２２の後部上方となる位置まで延びる円弧状に形成されている。そして、ホーゼル３の他端側に、シャフト４の軸線Ｌ２をパターヘッド２の重心点Ｐに向けてシャフト４が取り付けられるシャフト受部３１が設けられていることで、ホーゼル３はシャフト４とパターヘッド２とを接続する連結部として機能するものである（図４参照）。
【００２２】
シャフト４は、先端がホーゼル３のシャフト受部３１に接続された金属製のシャフト本体４１と、シャフト本体４１の基端部に設けられた第１グリップ部４２と、長手方向の中央部に設けられた第２グリップ部４３とを備えている。
【００２３】
以上のように構成された本発明の実施の形態に係るゴルフパターの使用状態を、図面に基づいて説明する。
【００２４】
図５に示すように、プレイヤーＭは、左手でゴルフパター１の第１グリップ部４２を持ち、右手で第２グリップ部４３添えるようにして持つ。そして、ボールＢの左側のやや後方に右足を前に、左足を後にして、パッティングラインに向かって立つ。このとき、第１グリップ部４２を把持する左手は右肩に位置させ、シャフト４の基端（グリップエンド）に顎を載せてアドレスすることで、シャフト４の軸線Ｌ２がプレイヤーＭの前後方向に対して垂直となり、目の位置の真下にボールＢが位置する。
【００２５】
このようにしてプレイヤーＭがボールＢに対してアドレスして、プレイヤーＭがボールＢの位置とパッティングラインの方向を確認するときには、両目の位置関係が水平となるように、頭を下方から上方、上方から下方へ動かしてカップを確認することができるので、距離感や方向感が得やすい。
【００２６】
このとき、ボールＢは、ヘッド本体２１と突出部２２との合計の長さとなるパターヘッド２の長さ分ほど前方に位置することになるので、ボールＢとフェース面２１ａとの位置関係を確認しやすい。
プレイヤーＭは、ボールＢがフェース面２１ａの中央に位置するように、かつパターヘッド２の仮想中心線Ｌ１がパッティングラインと重なるように、ゴルフパター１を調整する。この調整は、ガイドライン２ｂがパターヘッド２と突出部２２との上面に連続して形成された平坦面２ａに形成されているので、このガイドライン２ｂの第１ライン部２ｂｘと第２ライン部２ｂｙとを目安にパッティングラインの方向合わせを行うことで容易にできる。
【００２７】
このガイドライン２ｂはヘッド本体２１だけでなく突出部２２の上面にも設けられていることで、従来のゴルフパターより長くガイドライン２ｂを形成することができるので、方向合わせが容易である。これは、ホーゼル３が突出部２２の側面に接続され、錘部２３が突出部２２の後部の両側に配置されていることで、突出部２２の上面をヘッド本体２１と連続した平坦面２ａとして確保して、ヘッド本体２１と突出部２２とを合わせた長さをガイドライン２ｂとすることができるからである。
【００２８】
また、パターヘッド２が右手及び左手の真下から前方へ位置しているので、頭を大きく動かさなくても、少し下向きの状態であれば、ガイドライン２ｂを確認しつつ、パッティングラインを確認することができるので、フェース面２１ａをパッティングラインの方向に合わせやすい。
【００２９】
プレイヤーＭは、パターヘッド２の位置合わせの調整が終わると、左手を中心点として右手を下げて円弧を描くようにスイングをする。シャフト４の軸線Ｌ２がパターヘッド２の後部に位置しているが、突出部２２が後方へ向かうに従って徐々に幅広く形成されていることからも、突出部２２の後方を重たく形成することができるだけでなく、突出部２２の後部には錘部２３が設けられているので、パターヘッド２全体のバランスを保つことができる。従って、安定したスイングをすることができる。
【００３０】
また、シャフト４の軸線Ｌ２がパターヘッド２の重心点Ｐと交差するようにホーゼル３が形成されているので、パターヘッド２の仮想中心線Ｌ１の右側と左側とでバランスが取れる。例えば、シャフト４の軸線Ｌ２がパターヘッド２の重心点Ｐからずれていると、スイングする際にずれた方側が膨らむような円弧を描くようなスイングとなってしまいがちになる。従って、ホーゼル３が、シャフト４の軸線Ｌ２がパターヘッド２の仮想中心線Ｌ１と交差するように形成されていることで、更に安定したパッティングをすることができる。
【００３１】
更に、パターヘッド２の底面が円弧面に形成されているためスイングに沿ってグリーンＧを摺動させることができるので、スムーズなスイングを行うことができる。
【００３２】
このように、ゴルフパター１は、アドレスしたときにはボールＢとフェース面２１ａとの位置関係の確認が容易であり、カップへ狙いを付けるときにはパッティングラインにボールＢを照準させやすく、スイングするときにはバランスが保たれたパターヘッド２により安定したスイングをすることができるので、パッティングラインに向かって正面に立ってパッティングするのに好適である。
【００３３】
以上、本発明の実施の形態について説明してきたが、本発明は前記実施の形態に限定されるものではない。例えば、本実施の形態では、パターヘッド２が略Ｈ字状に形成されているが、突出部をヘッド本体から後方へ突出させていれば、突出部を平面視して半円状や、矩形状、他の形状としてもよい。また、ガイドライン２ｂは、仮想中心線Ｌ１上に形成されていれば太線一本でも、平行する複数の直線でもよい。更に、錘部２３は突出部２２の側面後部の両側に設けられているが、パターヘッド２のバランスが取れるのであれば、突出部２２の側面後部の一方のみに設けるようにしてもよいし、突出部２２内に収納するようにしてもよい。また、ホーゼル３は、シャフト４を延長させてシャフトの先端を曲げて直接連結部として突出部２２に接続するようにしてもよい。
更に、本実施の形態では、ヘッド本体２１と突出部２２との上面全体が連続した平坦面２ａに形成されているが、少なくともフェース面２１ａの中央に対応する位置から後方に向かう面が連続した平坦面であれば、ガイドライン２ｂを形成する場所を確保できる。
【産業上の利用可能性】
【００３４】
本発明は、グリーン上のボールをカップに向かってパッティングする際に使用されるゴルフパターに好適である。特に、本発明のゴルフパターは、パッティングラインに向かって正面に立ってパッティングするときには最適である。
【符号の説明】
【００３５】
１  ゴルフパター
２  パターヘッド
２ａ  平坦面
２ｂ  ガイドライン
２ｂｘ  第１ライン部
２ｂｙ  第２ライン部
２１  ヘッド本体
２１ａ  フェース面
２２  突出部
２３  錘部
３  ホーゼル
３１  シャフト受部
４  シャフト
４１  シャフト本体
４２  第１グリップ部
４３  第２グリップ部
Ｍ  プレイヤー
Ｂ  ボール
Ｇ  グリーン
Ｌ１  仮想中心線
Ｌ２  軸線
【図１】
2010201090.tif 000003
【図２】
2010201090.tif 000004
【図３】
2010201090.tif 000005
【図４】
2010201090.tif 000006
【図５】
2010201090.tif 000007